(57)【要約】【課題】電気デバイスの消費電力を減少すること。【解決手段】スイッチ回路は電力モジュールを有する電気デバイスに設けられる。スイッチ回路は第１の信号発生回路（２０）と第２の信号発生回路（３０）とを備える。第１の信号発生回路（２０）は第１の信号を発し、一方、第１の信号発生回路に接続される第２の信号発生回路（３０）は、第１の信号を受信した後に、第２の信号を発する。第２の信号は電力モジュール（６０）の動作を制御する。従って、第１の信号及び第２の信号を介して、電気デバイスは待機モードと動作モードとの間で、動作可能である。スイッチ回路によって、電気デバイスが待機モードの際の電力モジュールの消費電力を少量にすることができる。第２の信号発生回路（３０）の動作のための電力のみが必要である。従って、待機モードにおける電気デバイスの消費電力は大幅に減少される。【選択図】図１Ａ
2006314194.tif 000002
【特許請求の範囲】
【請求項１】
電力モジュールを有する電気デバイス用電力スイッチ回路であって、
第１の信号を出力する第１の信号発生回路と、
第１の信号発生回路に接続され、第１の信号を受信した後に、電力モジュールが動作を停止又は開始することを制御する第２の信号を出力する第２の信号発生回路と、を備える電力スイッチ回路。
【請求項２】
第１及び第２の信号発生回路に接続される電圧安定回路を更に備える、請求項１に記載の電力スイッチ回路。
【請求項３】
電圧安定回路はツェナーダイオードを備える、請求項２に記載の電力スイッチ回路。
【請求項４】
第２の信号は高電圧レベル又は低電圧レベルである、請求項１に記載の電力スイッチ回路。
【請求項５】
第１の信号発生回路は直流電源に接続され、第２の信号発生回路は第１の信号発生回路を介して直流電源に接続される、請求項１に記載の電力スイッチ回路。
【請求項６】
直流電源は整流電源又はバッテリーである、請求項５に記載の電力スイッチ回路。
【請求項７】
第１の信号発生回路は、一端が第２の信号発生回路に接続されるスイッチを備える、請求項１に記載の電源スイッチ回路。
【請求項８】
第１の信号発生回路は、
一端がスイッチに接続され、他端が接地される第１の抵抗器と、
一端がスイッチに接続される第２の抵抗器と、
一端が第２の抵抗器に接続され、他端が接地されるコンデンサと、を更に備える、請求項７に記載の電源スイッチ回路。
【請求項９】
第２の信号発生回路はフリップフロップを備える、請求項１に記載の電力スイッチ回路。
【請求項１０】
交流電源を受け取り、交流電源を直流電源に整流し、電力モジュールに供給するための整流回路を更に備える、請求項１に記載の電力スイッチ回路。
【請求項１１】
整流回路と第１の信号発生回路との間に接続される少なくとも一つの抵抗器を更に備える、請求項１０に記載の電力スイッチ回路。
【請求項１２】
少なくとも一つの抵抗器と接地との間に接続されるコンデンサを更に備える、請求項１１に記載の電力スイッチ回路。
【請求項１３】
整流回路と電力モジュールとの間に接続される少なくとも一つの抵抗器を更に備える、請求項１０に記載の電力スイッチ回路。
【請求項１４】
整流回路と電力回路との間に接続されるコンデンサを更に備える、請求項１０に記載の電力スイッチ回路。
【請求項１５】
第２の信号発生回路と電力モジュールとの間に接続される駆動回路を更に備え、駆動回路は、第２の信号を受信した後に、電力モジュールを駆動するための駆動信号を出力する、請求項１に記載の電力スイッチ回路。
【請求項１６】
駆動回路は、トランジスタと、トランジスタに接続される少なくとも一つの抵抗器とを備える、請求項１５に記載の電力スイッチ回路。
【請求項１７】
電力モジュールを有する電気デバイス用電力スイッチ回路であり、
直流電源と、
直流電源に接続され、第１の信号を出力する、第１の信号発生回路と、
第１の信号発生回路に接続され、第１の信号を受信した後に、電力モジュールが動作を停止又は開始することを制御する第２の信号を出力する第２の信号発生回路と、
第２の信号発生回路と電力モジュールとに接続される駆動回路を備え、駆動回路は、第２の信号を受信した後に、電力モジュールを駆動するための駆動信号を出力する、電力スイッチ回路。
【請求項１８】
第１及び第２の信号発生回路に接続される電圧安定回路を更に備える、請求項１７に記載の電力スイッチ回路。
【請求項１９】
電圧安定回路はツェナーダイオードを備える、請求項１８に記載の電力スイッチ回路。
【請求項２０】
第１の信号発生回路は、一端が第２の信号発生回路に接続されたスイッチを備える、請求項１７に記載の電力スイッチ回路。
【請求項２１】
第１の信号発生回路は、
一端がスイッチに接続され、他端が接地される第１の抵抗器と、
一端がスイッチに接続される第２の抵抗器と、
一端が第２の抵抗器に接続され、他端が接地されるコンデンサと、を更に備える、請求項２０に記載の電源スイッチ回路。
【請求項２２】
第２の信号発生回路はフリップフロップを備える、請求項１７に記載の電力スイッチ回路。
【請求項２３】
駆動回路はトランジスタと、トランジスタに接続される少なくとも一つの抵抗器とを備える、請求項１７に記載の電力スイッチ回路。
【請求項２４】
交流電源を受け取り、交流電源を直流電源に整流し、電力モジュールに供給するための整流回路を更に備える、請求項１７に記載の電力スイッチ回路。
【請求項２５】
整流回路と第１の信号発生回路との間に接続される少なくとも一つの抵抗器を更に備える、請求項２４に記載の電力スイッチ回路。
【請求項２６】
少なくとも一つの抵抗器と接地との間に接続されるコンデンサを更に備える、請求項２５に記載の電力スイッチ回路。
【請求項２７】
整流回路と電力モジュールとの間に接続される少なくとも一つの抵抗器を更に備える、請求項２４に記載の電力スイッチ回路。
【請求項２８】
整流回路と電力回路との間に接続されるコンデンサを更に備える、請求項２４に記載の電力スイッチ回路。
【請求項２９】
電力スイッチ回路であって、
整流回路と、
起動信号を発生するスイッチを備える信号発生回路と、
信号発生回路に接続され、起動信号を受信した後に、高電圧レベル又は低電圧レベルの制御信号を出力する制御回路と、
整流回路と制御回路とに接続され、制御信号に応答して動作を開始又は停止する電力モジュールと、を備える電力スイッチ回路。
【請求項３０】
信号発生回路及び制御回路に必要な直流電力がバッテリー又は整流回路によって供給される、請求項２９に記載の電力スイッチ回路。
【請求項３１】
信号発生回路と制御回路とに接続される電圧安定回路を更に備える、請求項２９に記載の電力スイッチ回路。
【請求項３２】
電圧安定回路はツェナーダイオードを備える、請求項３１に記載の電力スイッチ回路。
【請求項３３】
制御回路に接続される駆動回路を更に備え、駆動回路は、制御信号を受信した後に、駆動信号を出力する、請求項２９に記載の電力スイッチ回路。
【請求項３４】
駆動回路はトランジスタと、トランジスタに接続される少なくとも一つの抵抗器とを備える、請求項３３に記載の電力スイッチ回路。
【請求項３５】
電力モジュールは、
制御回路に接続され、制御信号を受信するための、パルス幅変調電力コントローラと、
一次巻線の一端がパルス幅変調電力コントローラに接続され、他端が整流回路に接続される変圧器と、を備える、請求項２９に記載の電力スイッチ回路。
【請求項３６】
電力モジュールは、電源、電力パルス幅変調（ＰＷＭ）電力コントローラ、又は電力管理チップである、請求項２９に記載の電力スイッチ回路。
【請求項３７】
電力スイッチ回路であって、
整流回路と、
直流電源と、
直流電源に接続され、起動信号を発生するためのスイッチを備える信号発生回路と、
信号発生回路に接続され、起動信号を受信した後に、高電圧レベル又は低電圧レベルの制御信号を出力する制御回路と、
整流回路と制御回路とに接続され、制御信号に応答して動作を開始又は停止する電力モジュールと、を備える電力スイッチ回路。
【請求項３８】
信号発生回路及び制御回路に必要な直流電力がバッテリー又は整流回路によって供給される、請求項３７に記載の電力スイッチ回路。
【請求項３９】
信号発生回路と制御回路とに接続される電圧安定回路を更に備える、請求項３７に記載の電力スイッチ回路。
【請求項４０】
電圧安定回路はツェナーダイオードを備える、請求項３９に記載の電力スイッチ回路。
【請求項４１】
制御回路に接続される駆動回路を更に備え、駆動回路は、制御信号を受信した後に、駆動信号を出力する、請求項３７に記載の電力スイッチ回路。
【請求項４２】
駆動回路はトランジスタと、トランジスタに接続される少なくとも一つの抵抗器とを備える、請求項４１に記載の電力スイッチ回路。
【請求項４３】
電力モジュールは、
制御回路に接続され、制御信号を受信するための、パルス幅変調電力コントローラと、
一次巻線の一端がパルス幅変調電力コントローラに接続され、他端が整流回路に接続される変圧器と、を備える、請求項３７に記載の電力スイッチ回路。
【請求項４４】
電力モジュールは電源、電力パルス幅変調（ＰＷＭ）電力コントローラ、又は電力管理チップである、請求項３７に記載の電力スイッチ回路。
【発明の詳細な説明】
【技術分野】
【０００１】
本発明は、電力スイッチ回路に関し、より詳細には、電気デバイスが待機モードの間の消費電力を減少することができる電力スイッチ回路に関する。
【背景技術】
【０００２】
欧州共同体は２００１年１月から新たなエネルギー規制を開始した。より多くの厳しい規制の下、待機モード中は、電源の消費電力は所定値よりも低くなるよう制限される。その上、総ての連邦政府の担当部局は、待機モード中の消費電力が１Ｗより低くなる電気／電子デバイスの購入を迫られている。
【０００３】
従来の電力スイッチ回路では、機械スイッチを使用して、電気デバイスのオン又はオフを行い、且つシステムが待機モードの間、周辺回路を制御するシステムＩＣの動作を維持する。待機モード中、システムＩＣの動作を維持するために必要最小限の電力は必要である。電気デバイスが対外的にオフであっても、内部システムは動作している。動作中の内部システムによって、システムは制御信号に応答して動作モードに戻ることができる。しかしながら、システムが待機モード中の消費電力を減少させることはできない。
【０００４】
Ｒ.Ｏ.Ｃ特許番号第.387584号は、コンピュータ用の電力スイッチシステムを開示している。電力スイッチシステムは、第１の信号を発生するための電源検出回路と、電源検出回路に接続され、第２の信号を検出し、第３の信号を発生するための電力制御回路とを備える。第１の信号に応答して、電源は動作モードで動作し、第３の信号を発生する。第２の信号に応答して、第３の信号は変更され、電源は待機モードになる。図１を説明する５頁によれば、電力スイッチ回路はバッテリーによって電力供給される。この回路に接続される電源はシステムチップセットに待機電力を提供する。システムは待機モードであるが、電源はシステムに電力を提供しているので、待機モードにおいて消費電力が存在してしまう。電力スイッチ回路は、コンピュータシステムが、電力が停止した後にも電力を保持している際に引き起こされるオン／オフ問題を解決する。この回路は待機モード中の消費電力を減少する解決策を教示或いは示唆していない。
【０００５】
消費電力を減少するために、国際エネルギー機関（IEA）の規定に準拠するように、待機モード中の起動が使用される。待機モード中にスイッチモード電源が消費できる電力は、消費電力は１Wより低くなるよう指示する基準において規定されている。しかしながら、現在の電気デバイスにおいて、“待機モード中の消費電力を１Wより低くする”という厳しい要求に準拠することは容易ではない。従って、厳しい要求に準拠して待機モード中の消費電力を減少することは最優先事項である。
【発明の開示】
【発明が解決しようとする課題】
【０００６】
上述の問題に鑑み、本発明は電気デバイスの待機モード中における消費電力を効果的に減少する電力スイッチ回路を提供する。
【課題を解決するための手段】
【０００７】
本発明の一つの実施形態に従えば、第１の信号発生回路及び第２の信号発生回路を含む電力回路が設けられている。第１の信号発生回路は第１の信号を出力する。第１の信号発生回路に接続される第２の信号発生回路は、第１の信号を受信した後に、第２の信号を出力し、第２の信号は、電力モジュールが動作を停止又は開始することを制御する。
【０００８】
本発明の一つの実施形態に従えば、第１の信号発生回路と第２の信号発生回路と駆動回路とを含む電力回路が設けられている。第１の信号発生回路は第１の信号を出力する。第１の信号発生回路に接続される第２の信号発生回路は、第１の信号を受信した後に、第２の信号を出力する。第２の信号は高レベル電圧又は低レベル電圧である。駆動回路は、第２の信号に応答して動作を停止又は開始する電力モジュールを駆動する駆動信号を出力する。
【０００９】
一つの実施形態に従えば、本発明は電気デバイス用の電力スイッチ回路を有し、直流電源と、信号発生回路と、制御回路と、駆動回路とを含む。信号発生回路は起動信号を出力する。信号発生回路に接続され、且つ直流電源によって電力供給される制御回路は、起動信号を受信した後に、高レベル又は低レベル電圧を出力する。制御回路に接続される駆動回路は、高レベル又は低レベル電圧を受信した後に、動作を停止又は開始する電力モジュールを駆動する駆動信号を出力する。
【００１０】
本発明の実施形態に従えば、設けられた電力スイッチ回路は動作を停止又は開始する電力モジュールを制御するので、電気デバイスの待機モード及び動作モードが切り替えられ得る。更に、設けられたスイッチ回路を通して、システムICはもはや電気デバイスの待機モード及び動作モードを切り替える責任がなくなる。即ち、待機モード中,システムICは完全に遮断し、電力モジュールはシステムに電力を供給する必要がなく、それによってシステム全体が完全に動作を停止する。待機モード中、電力はただ消費される。更に、電気デバイスが待機モードから動作モードに切り替えられる時に、電力モジュールは再びシステムに電力を供給し得る。
【００１１】
本発明の更なる適用範囲は、以下の詳細な説明から明らかになる。しかしながら、本発明の精神及び範囲の中での様々な変更及び修正は、この詳細な説明から当業者には明らかであるので、詳細な説明及び具体例は、本発明の好適な実施形態を示しているが、説明する目的でのみ与えられている。
【００１２】
本発明の上記及びその他の目的及び特徴とその他の利点は、以下の詳細な説明から、添付の図面と関連させられた時、より明確に理解される。
【発明を実施するための最良の形態】
【００１３】
添付の図面に一例が示されている、本発明の好適な実施形態をここでより詳細に参照する。同じあるいは同類の部分に関して、可能な箇所はいずれも、図面及び明細書を通して同じ参照番号が使用されている。本明細書における「一つの実施形態（”one embodiment”）」又は「実施形態（”an embodiment”）」は、実施形態と関連して述べられる特定の特徴、構造、あるいは特性が本発明の少なくとも一つの実施形態に含まれることを意味する。本明細書における様々な箇所の「一つの実施形態において（”in one embodiment”）」という語句が出てきたとき、必ずしもその全部が同じ実施形態について言及しているわけではない。
【００１４】
本発明の電力スイッチ回路に従うブロック図を示す図１Aを参照する。電力スイッチ回路は、整流回路１０と、第１の信号発生回路２０と、第２の信号発生回路３０と、電力モジュール６０と、直流電源DCとを含む。整流回路１０は交流電源AC及び電力モジュール６０に接続される。整流回路１０は交流電源ACを直流電源に整流し、その直流電源は電力モジュール６０に供給される。第１の信号発生回路１０は直流電源DCに接続される。第２の信号発生回路２０は第１の信号発生回路１０を介して直流電源DCに接続される。第１の信号発生回路２０は第１の信号を出力する。第２の信号発生回路３０は第１の信号発生回路２０及び電力モジュール６０に接続される。直流電源DCを受信することに加えて、第２の信号発生回路３０は、第１の信号発生回路２０から出力された第１の信号を受信した後に、電力モジュール６０に第２の信号を供給する。第２の信号は、電力モジュール６０が待機モード又は動作モードに切り替えられるように、電力モジュール６０が動作を開始又は停止することを制御する。電力モジュール６０が正式的に動作する時、整流回路１０は電力モジュール６０に直流電源を供給する。
【００１５】
本発明の電力スイッチ回路に従う他のブロック図を示す図１Bを参照する。電力スイッチ回路は、整流回路１０と、第１の信号発生回路２０と、第２の信号発生回路３０と、駆動回路４０と、電圧安定回路５０と、電力モジュール６０とを含む。動作及び機能の詳細は以下の通りである。
【００１６】
整流回路１０は、交流電源ACと、電圧安定回路５０と、電力モジュール６０とに接続される。整流回路６０は交流電源ACを直流電源に整流し、その直流電源は電力モジュール６０及び電圧安定回路５０に供給される。第１の信号発生回路２０は第１の信号を出力する。第２の信号発生回路３０は、第１の信号発生回路２０と、電圧安定回路５０と、駆動回路４０とに接続される。更に、整流回路１０から直流電源を受け取り、第２の信号発生回路３０は、第１の信号発生回路２０から第１の信号を受信した後に、第２の信号を出力する。駆動回路４０は第２の信号を受信した後に、電力モジュール６０に駆動信号を出力する。電力モジュール６０は、電力モジュール６０によって電力供給されたシステムが待機モード又は動作モードになるように、駆動信号に応答して動作を開始又は停止する。電力モジュール６０が正常に動作する時、整流回路１０は、通常動作を行うために電力モジュール６０に直流電源を供給する。図１Aにおける実施形態と比較すると、駆動回路４０及び電圧回路５０が更に設けられている。駆動回路４０は、第２の信号の電圧レベルに応答して電力モジュール６０を駆動する駆動信号を出力するよう動作する。第２の信号が電力モジュールを十分に駆動できる場合、駆動回路４０は省略され得る。電圧安定回路５０は、第１の信号発生回路２０及び第２の信号発生回路３０に安定した使用電圧を提供するよう動作する。電圧安定回路５０は必ずしも電力スイッチ回路にあるわけではなく、要求次第で採用することができる。
【００１７】
一つの実施形態において、電力モジュール６０は電源である。別の実施形態では、電力モジュール６０はパルス幅変調（ＰＷＭ）電力コントローラであり得る。別の実施形態では、電力モジュール６０は電力制御チップであり得る。電力モジュール６０は整流回路１０から直流電源を受け取り、通常動作のために電気デバイスにDC電源を供給する。図１Bの実施形態において、第１及び第２の信号発生回路２０、３０は、整流回路１０から直流電源を受け取るために、電圧安定回路５０に接続される。
【００１８】
上述の回路を介して、システムの通常動作に必要な電力が、整流回路１０によって整流され、電力モジュール６０によってシステムに供給される。電気デバイスは、以下の動作を通じて、強制的に動作モードから待機モードにされ得る。まず、第１の信号発生回路２０は第１の信号を出力する。第２の信号発生回路３０は、第１の信号を受信した後に、電気デバイスの電力モジュール６０の動作を制御するための第２の信号を出力する。第２の信号を受信する一方で、動作モードにおける電力モジュール６０は動作を停止し、システムは待機モードになる。なぜなら、電力モジュール６０は待機モード中に動作を停止し、電力モジュール６０は整流回路１０からの直流電源を消費しないからである。このとき、第２の信号発生回路３０の動作に必要な、たった少しの電力だけが消費される。電気デバイスは、以下の動作を通じて、強制的に動作モードから待機モードにされ得る。第１の信号発生回路２０はまず第１の信号を出力する。第２の信号発生回路３０は、第１の信号を受信した後に、電気デバイスの電力モジュール６０の動作を制御するための第２の信号を出力する。電力モジュール６０は第２の信号に応答して動作モードになり、一方システムも動作モードに戻る。
【００１９】
ここで、本発明の電力スイッチ回路の第１の実施形態の詳細な回路を示す図２を参照する。
【００２０】
第１の実施形態において、整流回路１０は、AC電源をDC電源に整流するために、４つのダイオードD1〜D4から成る全波ブリッジ整流回路である。別の実施形態（不図示）において、半波整流回路が回路要求次第で採用され得る。
【００２１】
第１の信号発生回路２０は、第２の信号発生回路３０に第１の信号を出力する。第１の信号発生回路２０は、可変電圧レベルを有する信号を発生できる要素、例えばスイッチSWを、少なくとも含む。ここでの例示の要素はトグルスイッチである。例示のスイッチSWの一端は、第２の信号発生回路３０に接続され、他端は第１の抵抗器R1を介して接地される。一つの実施形態において、第１の信号発生回路２０におけるスイッチSWによって発生する信号の安定性と検出性能に関して、追加の第２の抵抗器R2及び第１のコンデンサC1が第１の信号発生回路２０に追加され得るが、両者とも必要ではない。第２の抵抗器R2の一端は第１の抵抗器R1に接続され、他端は第２の信号発生回路３０に接続される。第１のコンデンサC1の一端は第２の抵抗器R2に接続され、他端は接地される。
【００２２】
第２の信号発生回路３０は、整流回路１０から直流電源及び第１の信号発生回路２０から第１の信号を受け取り、第１の信号に応答して第２の信号を出力する。第２の信号は電力モジュール６０の動作を制御するための高電圧レベル又は低電圧レベルを有する信号であり得る。本実施形態において、第２の信号発生回路３０は、JKフリップフロップである。J端子及びK端子はフリップフロップの電力端子（スイッチSWの一端）に接続される。Q出力端子は浮遊し、Qバー出力端子は駆動回路４０に接続される。別の実施形態では、Qバー出力端子は浮遊し、Q出力端子は駆動回路４０に接続される。更に、説明される例示のブロック図に従えば、当業者は、動作を制御するための電力モジュール６０に、Q出力端子又はQバー出力端子を直接接続し得る。これは電力モジュール６０の特徴（機能？）によって変化する。
【００２３】
駆動回路４０はトランジスタ４１を含み、それはNPN型のBJTであり得る。別の実施形態では、PNP型のBJTが使用され得る。更に別の実施形態では、MOSFET又はIGBTが使用され得る。第３の抵抗器R3はQバー出力端子とトランジスタ４１の間に接続される。第４の抵抗器R4はトランジスタ４１の出力端子（コレクタ）に接続される。第４の抵抗器R4の一端は電力モジュール６０に接続される。トランジスタ４１のエミッタは接地される。
【００２４】
一つの実施形態において、第２の信号発生回路３０が安定した状態で動作できるよう、電圧安定回路５０は、第２の信号の入力信号及び出力信号を所定の範囲に制限するために使用され得る。図２の実施形態において、電圧安定回路５０はツェナーダイオード５１及び第３のコンデンサC3を含む。第３のコンデンサC3の一端は、第２の信号発生回路３０に接続され、他端は接地される。
【００２５】
一つの実施形態において、回路全体の安定性のため、追加の第２のコンデンサC2は、整流回路１０の出力端子に接続されることができ、信号をフィルタ除去する。互いに連結される第５の抵抗器R5及び第６の抵抗器R6は、整流回路１０の出力端子に接続される。第６の抵抗器R6の他端は、コンデンサC3に接続される。一つの実施形態において、第５の抵抗器R5及び第６の抵抗器R6の代わりに単一の抵抗器が使用され得る。第７の抵抗器R7及び第８の抵抗器R8は、整流回路１０の出力端子と電力モジュール６０との間に接続される。一つの実施形態において、第７の抵抗器R7及び第８の抵抗器R8の代わりに単一の抵抗器が使用され得る。
【００２６】
ここで、本発明の電力スイッチ回路の第２の実施形態の詳細な回路を示す図３を参照する。第２の実施形態において、図２における参照番号と同じ参照番号を有する要素の機能及び動作は、第１の実施形態と同じ／類似である。従って、それらの要素の説明は省略する。
【００２７】
第２の実施形態には、直流電源７０が含まれる。DC電源７０の一端はスイッチSWに接続され、他端は接地される。本実施形態において、第１の信号発生回路２０及び第２の信号発生回路３０は、バッテリー又は複数のバッテリーのような直流電源７０によって電力供給される。整流回路１０から出力される電力はシステムに供給されるが、第１の信号発生回路２０及び第２の信号発生回路３０には供給されない。従って、第５の抵抗器R5及び第６の抵抗器R6は必要ではない。電気デバイスが動作モードから待機モードになるプロセスは以下の通りである。まず、第１の信号発生回路２０は、第１の信号を発生し、第２の信号発生回路３０に第１の信号を配信する。そして、電力モジュール６０が動作を停止するよう、第１の信号に応答して、電力モジュール６０の動作を制御するための第２の信号が第２の信号発生回路３０から発せられる。その間に、システムは待機モードになり、整流回路１０から出力される電力を、ほとんど或は全く消費しない。従って、待機モード中の消費電力は大幅に減少する。更に、第１の信号発生回路２０及び第２の信号発生回路３０の動作に必要な電力は、整流回路１０から分離されたDC電源７０から供給される。第１の実施形態では、整流回路１０は、第１の信号発生回路２０及び第２の信号発生回路３０の動作のための電力を僅かではあるが供給しているので、少量の消費電力が存在した。しかしながら、第２の実施形態では、第１の信号発生回路２０及び第２の信号発生回路３０に必要な少しの電力が減少されるので、待機モード中の消費電力は、第１の実施形態の消費電力よりも減少する。
【００２８】
本発明の電力スイッチ回路、例えば、LCDモニターを有する電気デバイスの本実施形態を示す図４Aを参照する。本実施形態の電気デバイスの電力スイッチ回路は、整流回路１１０と、信号発生回路１２０と、制御回路１３０とを含む。信号発生回路１２０は起動信号を発生するスイッチSWを含む。制御回路１３０は、信号発生回路１２０に接続され、直流電源DCによって電力供給される。起動信号に応答して、制御回路１３０から、高又は低電圧レベルを有する制御信号が発せられる。制御信号に応答して、電力モジュール１６０は動作を開始又は停止する。電力モジュール１６０は、待機モードの間、ディスプレイ及びマイクロプロセッサ（不図示）に電力を供給しない。一方、電力モジュール１６０は、動作モードの間、ディスプレイ及びマイクロプロセッサに電力を供給する。一つの実施形態において、電圧安定回路１５０は、制御回路１３０に安定した使用電圧を提供するために、追加的に含まれることができる。
【００２９】
本実施形態において、電力モジュール１６０は、少なくともパルス幅変調（ＰＷＭ）電力コントローラ１６１及び変圧器１６２を含む。制御回路１３０に接続されるＰＷＭ電力コントローラ１６１は制御信号を受信する。一次巻線の一端はＰＷＭ電力コントローラ１６１に接続され、他端は整流回路１１０に接続される。ＰＷＭ電力コントローラ１６１及び変圧器１６２に加えて、通常動作に必要なトランジスタ、抵抗器、及びコンデンサも電力モジュール１６０に含まれる。これらの要素の動作は当業者に知られており、省略する。
【００３０】
本発明の電力スイッチ回路、例えばLCDモニターを有する電気デバイスの別の実施形態を示す図４Bを参照する。図４Aにおける要素と同じ又は類似の要素の参照番号は、同じ又は類似の機能を有しているので、省略される。
【００３１】
本実施形態において、信号発生回路１２０及び制御回路１３０は、直流電源１７０、例えばバッテリー又は複数のバッテリーによって電力供給される。整流回路１１０から出力される電源はシステムに供給されるが、信号発生回路１２０及び制御回路１３０には供給されない。
【００３２】
図４A及び図４Bに示される本実施形態において、駆動回路１４０は付加的に制御回路１３０に接続される。駆動回路１４０の構成、動作、及び機能は、説明された実施形態におけるものと同じである。制御信号の電圧レベルに応答して、電力モジュール１６０を駆動するために、駆動回路１４０から駆動信号が発せられる。第２の信号が電力モジュール１６０を十分に駆動できる場合、駆動回路１４０は省略され得る。電圧安定回路１５０は、信号発生回路１２０及び制御回路１３０に安定した使用電圧を提供するよう動作する。電圧安定回路１５０は電力スイッチ回路に必要ではなく、要求次第で採用され得る。
【００３３】
本発明の本実施形態に従えば、電力スイッチ回路は、コンピュータ、ディスプレイデバイス、家庭用ディスプレイ、テレビ、レコーダー及びプレーヤー、セットトップボックス、或は音響デバイスにおいて使用され得る。本実施形態に従えば、システムICはデバイスをオンにする責任がなく、したがって、待機モード中に電力モジュールは電力を提供できず、完全に停止でき、消費電力を減少する。第１及び第２の信号発生回路を介して、電力モジュールは再び起動させられ、電気デバイスを再スタートさせることができる。第１及び第２の信号発生回路の動作に必要な電力のみが要求され、従って、待機モード中の消費電力が大幅に減少する。
【００３４】
このように説明された本発明を知ることによって、本発明が多くの方法で変更され得ることが明白である。このような変化は、本発明の精神及び範囲からの逸脱として見做されるべきでなく、当業者に明白であるような全ての変更が、以下の請求の範囲内に含まれることが意図されている。
【図面の簡単な説明】
【００３５】
【図１Ａ】本発明の電力スイッチ回路に従うブロック図である。
【図１Ｂ】本発明の電力スイッチ回路に従うブロック図である。
【図２】本発明の電力スイッチ回路の第１の実施形態の詳細な回路を示す図である。
【図３】本発明の電力スイッチ回路の第２の実施形態の詳細な回路を示す図である。
【図４Ａ】本発明の電力スイッチ回路の第３の実施形態の詳細な回路を示す図である。
【図４Ｂ】本発明の電力スイッチ回路の第４の実施形態の詳細な回路を示す図である。
【図１Ａ】
2006314194.tif 000003
【図１Ｂ】
2006314194.tif 000004
【図２】
2006314194.tif 000005
【図３】
2006314194.tif 000006
【図４Ａ】
2006314194.tif 000007
【図４Ｂ】
2006314194.tif 000008